(57)【要約】本発明は、交感神経の緊張を決定する方法に関し、１以上の交感神経の緊張中性点において刺激のしきい値で、印加された刺激を決定し、１以上の交感神経の緊張依存点において同じ刺激のしきい値で、印加された刺激を決定する。また、本発明は、人における交感神経緊張を決定するために刺激を印加し測定するためのシステムとその使用に関し、１以上の交感神経の緊張中性点において刺激のしきい値で、印加された刺激を決定するステップと、１以上の交感神経の緊張依存点において同じ刺激のしきい値で、印加された刺激を決定するステップを備える。
2007526048.tif 000002
【特許請求の範囲】
【請求項１】
１以上の交感神経の緊張中性点において刺激のしきい値で、印加された刺激を決定し、
１以上の交感神経の緊張依存点において同じ刺激のしきい値で、印加された刺激を決定する
ことからなる交感神経の緊張を決定する方法。
【請求項２】
印加された前記刺激は、印加された機械的刺激を用いて提供されることを特徴とする、請求項１に記載された方法。
【請求項３】
印加された前記機械的刺激は、印加された圧縮力を用いて提供されることを特徴とする、請求項２に記載された方法。
【請求項４】
印加された前記刺激は、印加された熱的刺激を用いて提供されることを特徴とする、請求項１に記載された方法。
【請求項５】
印加された前記刺激は、印加された熱または寒さを用いて提供されることを特徴とする、請求項４に記載された方法。
【請求項６】
印加された前記刺激は、印加された放射を用いて提供されることを特徴とする、請求項１に記載された方法。
【請求項７】
印加された前記刺激は、印加された赤外光、可視光および／または紫外光を用いて提供されることを特徴とする、請求項６に記載された方法。
【請求項８】
印加された前記刺激は、印加された化学的刺激であることを特徴とする、請求項１に記載された方法。
【請求項９】
印加された前記化学的刺激は、印加された有機または無機化合物を用いて提供されることを特徴とする、請求項８に記載された方法。
【請求項１０】
前記決定は、印加された前記刺激を測定するシステムを用いて行われることを特徴とする、請求項１〜９のいずれかに記載された方法。
【請求項１１】
１以上の交感神経の緊張中性点における、印加された刺激の前記決定は、鎖骨の上側で前方で、および／または、ＴＨ１０〜ＴＨ１１に対応する脊柱の上で後方で、行われることを特徴とする、請求項１〜１０のいずれかに記載された方法。
【請求項１２】
１以上の交感神経の前記緊張依存点における刺激のしきい値での印加された刺激の前記決定は、交感神経系の心蔵への神経分布に神経支配的に対応する皮膚の上の１以上の位置で、行われることを特徴とする、請求項１〜１１のいずれかに記載された方法。
【請求項１３】
１以上の交感神経の前記緊張依存点における刺激のしきい値での印加された刺激の前記決定は、１以上の点、すなわち、胸骨の中央でのC.V.17および／または乳頭の下の２つの肋骨の間のSt１８および／または乳頭と前腋窩ひだの間のPer1および／またはTH３〜６に対応する脊柱、の中で選択される最も痛い点で行われることを特徴とする、請求項１〜１２のいずれかに記載された方法。
【請求項１４】
人における交感神経緊張を測定する方法であって、
ａ）校正しきい値と刺激しきい値とを記憶し、
ｂ）次に、前記刺激しきい値を前記校正しきい値と比較することによる交感神経緊張の示度を計算することからなり、
前記校正しきい値は、人の体の交感神経の緊張中性点での侵害受容しきい値の定量的尺度であり、前記刺激しきい値は、人の体の交感神経の緊張依存点での侵害受容しきい値の定量的尺度であり、
前記交感神経の前記示度は、人における交感神経緊張の尺度である
方法。
【請求項１５】
前記校正しきい値と前記刺激しきい値は実質的に同時に測定されることを特徴とする、請求項１４に記載された方法。
【請求項１６】
侵害受容が、圧縮力、熱、冷却、放射、化学的刺激またはそれらの組み合わせにさらすことにより誘起されることを特徴とする、請求項１４または１５に記載された方法。
【請求項１７】
交感神経緊張中性点よりも著しく低く交感神経緊張依存点で得られる侵害受容のしきい値は、人が交感緊張を増加したことを示すことを特徴とする、請求項１４〜１６のいずれかに記載された方法。
【請求項１８】
前記交感神経の示度値は、少なくとも１つの前に決定された交感神経の示度値と比較され、この前の示度値は、時間的に前の点および／または前記値の結果を示すことを特徴とする、請求項１４〜１７のいずれかに記載された方法。
【請求項１９】
人における交感神経緊張を測定するシステムであって、
ａ）人体の交感神経緊張中性点で決定された侵害受容校正しきい値を記憶し、人体の交感神経緊張依存点で決定された侵害受容刺激しきい値を記憶する記憶手段と、
ｂ）前記侵害受容校正しきい値と前記侵害受容刺激しきい値を、測定値を得るようにデータ処理がプログラムされた電子回路と
からなるシステム。
【請求項２０】
さらに、
（ａ）第１の使用者の操作から得られた前記侵害受容校正しきい値を記憶し、
（ｂ）第２の使用者の操作から得られた前記侵害受容刺激しきい値を記憶する
ことを特徴とする、請求項１９に記載されたシステム。
【請求項２１】
不快を生じる刺激を加える印加手段が第１ユニットの中に含まれ、前記電子回路は第２ユニットの中に含まれることを特徴とする、請求項２０に記載されたシステム。
【請求項２２】
前記第１ユニットと前記第２ユニットは、両者の間で無線通信を行うことが可能であることを特徴とする、請求項２１に記載されたシステム。
【請求項２３】
前記加圧手段（５）、前記センサ（７）および前記電子回路が、１つの同じ装置に一体化されていることを特徴とする、請求項２０に記載されたシステム。
【請求項２４】
不快を生じる刺激を加える前記印加手段が、しだいに増加する刺激を加えるように調整され、前記記憶手段が、前記第１および第２の使用者の操作に対応する時間に刺激レベルを記憶するように調整されることを特徴とする、請求項２０〜２３のいずれかに記載されたシステム。
【請求項２５】
不快を生じる前記刺激は、圧縮力、熱、寒さ、放射、化学的刺激またはそれらの組み合わせにさらすことを含むことを特徴とする、請求項２０〜２３のいずれかに記載されたシステム。
【請求項２６】
前記圧縮力は加圧手段(5)またはクランプを用いて加えられることを特徴とする、請求項２５に記載されたシステム。
【請求項２７】
不快を生じる前記刺激は、第１または第２の使用者の操作の時間において不連続であることを特徴とする、請求項１９〜２６のいずれかに記載されたシステム。
【請求項２８】
前記加圧手段（５）の接触面（６）が弾力的であることを特徴とする、請求項２７に記載されたシステム。
【請求項２９】
前記加圧手段（５）は液体、ゲルおよび好ましくは気体で充填された気泡を含むことを特徴とする、請求項３５に記載されたシステム。
【請求項３０】
接触面(6)の前記面積は４ｃｍ２より小さく、好ましくは１ｃｍ２と２ｃｍ２の間であることを特徴とする、請求項２６〜２９のいずれかに記載されたシステム。
【請求項３１】
人における交感神経緊張測定の測定システム（４）であって、
人体に外側圧縮力を及ぼす接触面を備えた加圧手段（５）と、
前記圧力base（５）により及ぼされた圧縮力を測定するセンサ（７）と、
第１の測定された圧縮力と第２の測定された圧縮力を記憶し、第１の測定された圧縮力と第２の測定された圧縮力の比を表示として読み出し値を計算する電子回路とからなり、
前記読み出し値を表示するための読み出しユニット（８）を含む
システム。
【請求項３２】
前記加圧手段（５）と前記センサ（７）は第１ユニット内に一体化され、前記電子回路は第２ユニット内に一体化されることを特徴とする、請求項３１に記載されたシステム。
【請求項３３】
前記第１ユニットと前記第２ユニットは、両者の間の無線通信を行うことが可能であることを特徴とする、請求項３２に記載されたシステム。
【請求項３４】
前記加圧手段（５）、前記センサ（７）および前記電子回路が、１つの同じ装置に一体化されていることを特徴とする、請求項３１に記載されたシステム。
【請求項３５】
前記加圧手段（５）の接触面（６）が弾力的であることを特徴とする、請求項３１〜３４のいずれかに記載されたシステム。
【請求項３６】
前記加圧手段（５）は液体、ゲルおよび好ましくは気体で充填された気泡を含むことを特徴とする、請求項３５に記載されたシステム。
【請求項３７】
接触面（６）の前記面積は４ｃｍ２より小さく、好ましくは１ｃｍ２と２ｃｍ２の間であることを特徴とする、請求項３１〜３６のいずれかに記載されたシステム。
【請求項３８】
前記センサがピエゾ抵抗力センサであることを特徴とする、請求項３１〜３７のいずれかに記載されたシステム。
【請求項３９】
携帯でき、かつ、１以上の電池で電気が供給されることを特徴とする、請求項３１〜３８のいずれかに記載されたシステム。
【請求項４０】
前記読出ユニットは、電子表示装置であることを特徴とする、請求項３１〜３８のいずれかに記載されたシステム。
【請求項４１】
前記電子回路は、前記読み出し値を複数の離散的な読み出し値の１つとして決定し、離散的な読み出し値が割り当てられた前記第１の測定値と前記第２の測定値の比は前記読み出しユニット（８）に表示されることを特徴とする、請求項３１〜４０のいずれかに記載されたシステム。
【請求項４２】
前記離散的読み出し値（０，１，２，３）は、前記第１測定値と前記第２測定値との比に比例しないことを特徴とする、請求項４１に記載されたシステム。
【請求項４３】
前記電子回路は、前記第１測定値を、多数の測定値の平均として計算し、前記第２測定値を多数の測定値の平均値として計算することを特徴とする、請求項３１〜４２のいずれかに記載されたシステム。
【請求項４４】
交感神経の緊張を決定するための刺激を印加し測定するためのシステムの用途であって、
１以上の交感神経の緊張中性点において刺激のしきい値で、印加された刺激を決定し、
１以上の交感神経の緊張依存点において同じ刺激のしきい値で、印加された刺激を決定する
ことを含む用途。
【請求項４５】
請求項４４に記載された用途であって、
１以上の交感神経の緊張中性点における、印加された刺激の前記決定は、鎖骨の上側で前方で、および／または、ＴＨ１０〜ＴＨ１１に対応する脊柱の上で後方で、行われることを特徴とする用途。
【請求項４６】
請求項４４または４５による用途であって、
１以上の交感神経の前記緊張依存点における刺激のしきい値での印加された刺激の前記決定は、交感神経系の心蔵への神経分布に神経支配的に対応する皮膚の上の１以上の位置で行われることを特徴とする用途。
【請求項４７】
請求項４４〜４６のいずれかに記載された用途であって、
１以上の交感神経の前記緊張依存点における刺激のしきい値での印加された刺激の前記決定は、１以上の点、すなわち、胸骨の中央でのC.V.17および／または乳頭の下の２つの肋骨の間のSt１８および／または乳頭と前腋窩ひだの間のPer1および／またはTH３〜６に対応する脊柱、の中で選択される最も痛い点で行われることを特徴とする用途。
【請求項４８】
交感神経緊張を決定するための侵害受容の測定の用途。
【発明の詳細な説明】
【技術分野】
【０００１】
本発明は、交感神経緊張を直ちに決定する方法およびその測定システムに関する。この方法は、人の交感神経緊張を直ちに決定できるので、身体と精神の両方で最適に健康な人のポテンシャルのレベルを決定するために使用できる。この発明は、さらに、交感神経緊張を決定するための本発明によるシステムの使用と、交感神経緊張を決定するための侵害受容の使用に関連する。
【背景技術】
【０００２】
ほ乳類では、神経系は、体神経系と自律神経系とからなる。自律神経系は、自動的にかつ反射的に機能する。自律神経系は、さらに、交感系と副交感系に分けられる。交感神経と副交感神経は反対の効果を持つ。
【０００３】
交感神経系は、器官の中の資源を、中間の危険な状況／挑戦が最適に扱えるように、いわゆる「ストレス期」にする。これが意味するのは、人が精神的により速くより明らかに考えると同時に考えに集中する能力を鋭くするということである。この目的を支えるために、関連しない感覚印象は効果的に妨げられる。体についていうと、体は、応答時間を短くし、筋力を強め、感覚を高め、考えと運動の技能の間の調整を最適化することにより、応答する。
【０００４】
結論として、以上のことが意味するのは、「ストレス期」は、正しい量で必要な回復と正しいバランスで現れるとき、肯定的な生理的現象であり、この回復は、副交感神経系が優勢であるときにもたらされる。
【０００５】
副交感神経系は、器官の資源を回復し強化し、これにより、激痛の状況で資源が動員されるべきときに必要な資源が利用できることを保証する。
【０００６】
生理的には、交感神経による刺激は、脈動と血圧を増加し、腺などにおける分泌の生成を禁止する。逆に、副交感神経は、とりわけ心拍数と血圧を低下し、腺の分泌を刺激する。ストレスの間に、また危険な状況において、交感神経系が活性化される。
【０００７】
ストレスは、脳によって危険または大きな危険であると感じられた状況を取り扱うために器官の資源が活性化されている状態である。もし人が、利用できる必要な資源を持っているなら、この状況は肯定的に感知される。もしこの状況が、刺激が体の資源を越えた状態を表しているなら、器官の資源は重い負担を負わせられ、長期の強いストレスが人の能力を損なう。この状態を、慢性または負のストレスという。
【０００８】
最も穏やかな形では、慢性ストレスは、筋肉の緊張、疲労、頭痛などの並の症状として現れる。ストレスの程度がよりひどくなると、追加の症状が、たとえば記憶の問題、集中の欠除、内部器官からの苦痛（たとえば動悸、胃痛、性欲減退）の形で経験される。ストレスの状態がさらにひどくなると、社会的活動も損なわれ、たとえば、寛容の減少、いらいら、怒りの制御できない爆発が起こる。後者の場合、処理されない慢性ストレスは、病気に導き、仕事の能力は長期間損なわれる。
【０００９】
上述のストレスに対する体の反応は、コルチゾールを含むステロイドホルモン（グリココルチコイド１／２）の放出を活性化する視床下部・下垂体・副腎系により制御される。さらに、他のホルモン、なかでも、ドーパミン、ノルアドレナリンおよびアドレナリンを含むカテコールアミン、が放出される。その結果、１組の生理的反応が起こり、併せて反応期という。脳、血管系、免疫系、呼吸系および消化系を含む実質的に体のすべての系が影響を受ける。
【００１０】
体と精神の危険／挑戦／緊張が過ぎると、それに対する体の反応は不活性化され、回復期が始まる。
【００１１】
ストレス反応は、純粋に体または心理の脅威によっても、考えによっても活性化されない。多くの毎日の生活の状況は、とりわけ、多忙、心配、個人的な関係の問題、家計の心配は、人が脅威を受けていなくても、反応期を活性化する。もしこれらの小さいが日常的な緊張が蓄積されると慢性ストレスに導く。
【００１２】
ストレス状態が発現して負の影響に導くのを避けるための一部として、人の急性のストレスまたは蓄積されたストレスのレベルの決定が、ストレスを生じる緊張を減少しまたは完全に除くための動きが始まるのを許可するために重要であり、すなわち、負のストレスに関連した（個人的および社会的）結果が避けられおよび／または防がれるような緊張へのすばやい自発性が増大できる。ストレスは、それ自体は病気ではないが、蓄積されるストレスは、病気になっていくような影響を人が受けやすくなる。
【００１３】
唾液の中のコルチゾールの測定、血清の中のカテコールアミン（アドレナリンおよび／またはノルアドレナリン）とコルチゾールの測定、また、尿の中のカテコールアミンの測定などの多くの方法が、人のストレスレベルの目安として交感神経緊張（交感神経系の活動）を決定するために知られていて（Ekman R.およびArnetz B. (red.) "Stress; Molekylerne, Individen, Organisationen, Samhallet" (ストレス、分子、個人、組織および社会）、Libers出版社、ストックホルム、2002、77-89ページにおけるEkman R.およびLindstedt G.:"Molekyler pa liv og dod" (生と死における分子）、Hansen A.M., Garde A.H., Christensen J.M., Eller N.H.およびNettestrom B."Evaluation of a radioimmunoassay and establishment of a reference interval for salivary cortisol in healthy subjects in Denmark", Scand. J. Lab. Invest. 2003; 63: 303-10) "Maling af hudtemperatur" (皮膚の温度の測定）(Normell LA, Wallin BG, "Sympathetic skin nerve activity and skin temperature changes in man", Acta Physiol. Scand. 1974; 91: 417-26)、また、汗の分泌はストレス測定の他の既知の方法である。 
【非特許文献１】Ekman R.およびArnetz B. (red.) "Stress; Molekylerne, Individen, Organisationen, Samhallet"、Libers出版社、ストックホルム、2002、77-89ページにおけるEkman R.およびLindstedt G.:"Molekyler pa liv og dod"
【非特許文献２】Hansen A.M., Garde A.H., Christensen J.M., Eller N.H.およびNettestrom B."Evaluation of a radioimmunoassay and establishment of a reference interval for salivary cortisol in healthy subjects in Denmark", Scand. J. Lab. Invest. 2003; 63: 303-10)
【非特許文献３】"Maling af hudtemperatur"(Normell LA, Wallin BG, "Sympathetic skin nerve activity and skin temperature changes in man", Acta Physiol. Scand. 1974; 91: 417-26)
【発明の開示】
【発明が解決しようとする課題】
【００１４】
ストレスと交感神経緊張を決定する既知の方法は、遅延、通信および費用を含む複雑な技術的解析が要求されるという欠点またはその方法が物理的環境からの衝撃／影響にさらされるという欠点により妨げられる。たとえばコルチゾールの血清の決定は、実験室での決定を必要とする。さらに、そのような決定の１つの欠点は、血清のコルチゾール濃度饒変化が大きく信頼できないという決定により妨げられる。汗の分泌がストレスのレベルにかかわらず増加する暑い日は特にそうである。
【００１５】
体と精神の点で最適に行う人の能力の尺度として交感神経緊張を決定する速い、信頼できる低価格の方法が望まれている。
【課題を解決するための手段】
【００１６】
本発明は、交感神経緊張を決定する方法を提供する。これは、速く、単純で、低価格であり、また、ストレスの激しくかつ蓄積されるレベルの尺度として使用できる。
本発明は、さらに、この方法を実行するシステムを提供する。
【００１７】
第１の観点では、本発明は、交感神経の緊張を決定する方法に関するものである。この方法では、１以上の交感神経の緊張中性点において刺激のしきい値で、加えた刺激を決定し、また、１以上の交感神経の緊張依存点において同じ刺激のしきい値で、加えた刺激を決定する。
【００１８】
第２の観点では、この発明は、人における交感神経緊張の定量的決定方法に関する。この方法は、
ａ）校正しきい値と刺激しきい値との記憶と、
ｂ）次の、前記刺激しきい値を前記校正しきい値と比較することによる交感神経緊張の示度の計算とからなる。
前記校正しきい値は、人の体の交感神経の緊張中性点での侵害受容（痛覚）しきい値の定量的尺度であり、前記刺激しきい値は、人の体の交感神経の緊張依存点での侵害受容しきい値の定量的尺度である。ここで、前記交感神経の前記示度は、人における交感神経緊張の尺度である。
【００１９】
第３の観点では、本発明は、人における交感神経緊張を測定するシステムに関する。このシステムは、
ａ）人体の交感神経緊張中性点で決定された侵害受容校正しきい値を記憶し、人体の交感神経緊張依存点で決定された侵害受容刺激しきい値を記憶する記憶手段と、
ｂ）前記侵害受容校正しきい値と前記侵害受容刺激しきい値を、測定値を得るようにデータ処理がプログラムされた電子回路と
を含む。
【００２０】
第４の観点では、本発明は、人における交感神経緊張測定の測定システムに関する。このシステムは、人体に外側圧縮力を及ぼす接触面を備えた加圧手段と、前記加圧手段（５）により及ぼされた圧縮力を測定するセンサと、第１の測定された圧縮力と第２の測定された圧縮力を記憶し、第１の測定された圧縮力と第２の測定された圧縮力の比を表示として読み出し値を計算する電子回路とからなる。このシステムは、前記読み出し値を表示するための読み出しユニット（８）を含む。
【００２１】
第５の観点では、本発明によるシステムの用途は、交感神経の緊張を決定するための刺激を印加し測定するためのシステムの用途であって、１以上の交感神経の緊張中性点において刺激のしきい値で、印加された刺激を決定することと、１以上の交感神経の緊張依存点において同じ刺激のしきい値で、印加された刺激を決定することを含む。
【００２２】
第６の観点では、本発明は、交感神経緊張を決定するための侵害受容の測定の用途に関する。
【発明を実施するための最良の形態】
【００２３】
以下、添付の図面を参照して発明の実施の形態を説明する。
【００２４】
定義
発明の詳細な説明の前に、本発明の上述の観点に関連した特定の用語が定義される。
【００２５】
「ストレス」の用語が表す歪み条件では、歪みが人体の資源を越える。ストレスは、肉体的な意味と精神的な意味をもち、肯定的な効果と否定的な効果を持つことがある。ストレスのレベルの増加は、交感神経緊張の増大を表す。
【００２６】
「交感神経緊張」の用語は、神経系の交感神経の部分における活動のレベルを表し、肉体的と精神的に最適に行う人の能力の尺度である。
【００２７】
「急性のストレス」の用語が表す条件では、人は、交感神経系における活動の増大を生じさせる刺激を短時間に、典型的には数時間／数日に、経験する。
【００２８】
「蓄積されたストレス」の用語が表す条件では、人は、交感神経系における活動の増大を生じさせる刺激を短時間に、典型的には数週間／数ヶ月／数年に、経験する。
【００２９】
「臨床上のストレス」の用語が表す条件では、ストレスが臨床上の症状をトリガーする。
【００３０】
「生理的ストレス」の用語は、交感神経緊張の決定を表す。
【００３１】
「刺激」の用語は、皮膚の機械的レセプタ、熱的レセプタおよび／または侵害受容レセプタを活性化する任意の種類の刺激を表す。刺激は、機械的刺激、熱的刺激、放射刺激および／または化学的刺激として与えることができる。機械的刺激は、たとえば、圧縮力を用いて与えることができる。熱的刺激は、たとえば、寒さおよび／または熱を用いて与えることができる。放射刺激は、たとえば、赤外分光、可視分光および／または紫外分光またはそれらの組み合わせの印加を用いて、たとえば、レーザ、発光ダイオード、赤外光源、紫外光源および／または紫外光源を用いて与えることができる。化学的刺激は、有機化合物および／または無機化合物を用いて与えることができる。
【００３２】
「交感神経緊張中性点」の用語が表す身体上の点では、加えられた刺激への感度は交感神経系の活動レベルに依存しない。
【００３３】
「交感神経緊張依存点」の用語が表す身体上の点では、加えられた刺激への感度は交感神経系の活動レベルに依存する。
【００３４】
「刺激のしきい値」の用語は、印加刺激を心地よくないものとして、より詳細には、不快なものとして人が感じるために、与えられた点で印加されるべき印加刺激の強さを表す。
【００３５】
「圧力感度のしきい値」の用語は、印加圧力を心地よくないものとして、より詳細には、不快なものとして人が感じるために、与えられた点で印加されるべき印加圧力の強さを表す。
【００３６】
「侵害受容刺激のしきい値」の用語は、人がある点で刺激を侵害受容として、たとえば、組織を損傷するものとして感じるしきい値を表す。また、この表現は、人により心地よくないとしえ感じられる刺激を含む。
【００３７】
「実質的に同時に」の用語は、校正しきい値、刺激しきい値などの測定が数分、たとえば１分、２分、３分、５分、１０分、１５分などの期間内に行われることを表す。
【００３８】
「著しく低い」の用語は、交感神経緊張依存点での侵害受容刺激しきい値が、交感神経緊張依存点でのしきい値の８５％以下であること、特に８０％以下であること、さらには７５％以下であることを表す。
【００３９】
「刺激を加え測定するシステム」の用語は、刺激を加え測定できるシステム、たとえば、１つまたは複数の装置を表す。
【００４０】
「圧力敏感装置」の用語は、圧力を加え測定できる装置を表す。
【００４１】
「マーカー」の用語は、測定点をマークする手段を表す。
【００４２】
「測定点」の用語は、加えられた刺激で刺激のしきい値が交感神経緊張に中性であるかまたは依存する点を表す。
【００４３】
「Ｃ．Ｖ．１７」、「Ｐｅｒ１」および「Ｓｔ１８」の表現は、伝統的な中国理論（伝統的中国医学の北京大学、「Essentials of Chinese Acupuncture」、外文出版社、１９８０年）による経穴を表す。C.V.は任脈であり、Perは心経であり、Stは胃経である。C.V.１７点、灰色の陰の領域は、図３に示される。図３において、灰色の陰の領域の中でC.Ｖ．１７の中で本発明による最もしばしば使用される点は黒点を用いて表される。Per１点、灰色の陰の領域は、図１に示される。図１において、灰色の陰の領域の中でPer１の中で本発明による最もしばしば使用される点は黒点を用いて表される。St１８点、灰色の陰の領域は、図４に示される。図４において、灰色の陰の領域の中でSt１８の中で本発明による最もしばしば使用される点は黒点を用いて表される。これらの点C.V.１７、Per１およびSt１８は、中国語の名前により明確に定義されていて、体の表面に点の形である。図１、図３および図４において、灰色の陰の領域は、ある実際の点が検査されるべきであることを記すために用いられ、その点は、単に、刺激されたときに最も痛い点であるという性質によってのみ明確にしている。また、これが意味するのは、その点が図面において灰色の陰の領域の外側に記されてもよいことである。実際に、その点は、交感神経系の心臓への神経分布（nerve supply)に対応する皮膚の部分内の任意の点であってよい（たとえば、Rutherford J.D., Braunwald E.& Cohn P.F., "Chronic heart disease"; Braunwald E. ed. "Heart Disease. A textbook of Cardiovascular Medicine", Philadelphia, W.B. Saunders Company 1988, 1314-67; Williams P.L., Warwich R., Dyson M. & Bannister L.H., eds. Gray's Anatomy. New York, Churchill Livingstone, 1989, 723-1168; Mann F., "Textbook of acupuncture", William Heinemann medical books, London 1987, 57-64)。
【００４４】
「ＴＨ３−６」と「ＴＨ１０−１１」の表現は、それぞれ、同じ数の胸椎の上のとげ状突起３−６ととげ状突起１０−１１を示す。とげ状突起は、固い突起のように感じる脊柱の部分である。とげ状突起３−６ととげ状突起１０−１１は図２に示され、とげ状突起３−６は、脊柱の上の最も上側の４つの黒点であり、とげ状突起１０−１１は脊柱の上の最も下側の２つの点である。
【００４５】
人の全体の資源の最適な利用を確実にするため、与えられたストレスによりひき起こされた状況において、任意の時間に神経系の機能レベルを測定することによりこれが保証されることがきわめて重要である。
【００４６】
本発明による方法は、そのような方法を、交感神経系の直接の（いまここでの）活動レベルを決定する方法の形で人に提供する。すなわち、
１）低い測定値は、交感神経系における低い活動レベルを示し、これにより、将来のストレスのある状況を最適にうまく対処するための最も可能な基礎である。
２）１つのみ高い値は、その人がいわゆる「ストレス期」において器官の資源を、生理学的にいえば、動員したという情報を、脳が危険であるとしてまたは危険らしいとして感じた状況をうまく対処するという観点で、使用者に提供する。
３）繰り返される高い測定値は、その人が長い「ストレス期」（器官の資源に長い期間重い負担を負わせることがある）にあるという情報を使用者に提供し、精神的に、肉体的に、情緒的にまた社会的に機能レベルの低下の基礎を提供する。
４）変化する高い測定値と低い測定値は、その人が「ストレス期」が活性化された状態と不活性化された状態に交互にあるという情報を使用者に提供する。
【００４７】
１つの実施形態では、この方法は、実際の測定に基づいてどのように負のストレスを防止し処理するかをその人に教え、かつ、何がその人におけるストレスレベルを増加／減少するかを教える特別な手段と教育プログラムに関連される。
【００４８】
この発明は、交感神経系の活動レベルを、したがって、肉体的にも精神的にも最適に人が行う能力を決定する方法の集中的な研究の結果であり、交感神経緊張を決定する既知の方法の問題を解決する。交感神経緊張は、交感神経系の活動レベルの尺度であり、ここでは生理的ストレスという。
【００４９】
本発明により、以下の驚くべき点が見出された。体の上の点には、刺激が加えられたときに交感神経緊張に中性的である点と、依存する点がある。すなわち、ある点では、加えられた刺激に対する感度は交感神経系の活動レベルに依存しないが、別の点では、加えられた刺激に対する感度は交感神経系の活動レベルに依存する。本発明により、交感神経緊張依存点において加えられた刺激の感度は、交感神経系の活動レベルが増加するとき、増加する。従来は、ストレスと、従って増加した交感神経緊張は一般的に痛みへの忍耐を増加すると記載されていたので（Amit and Galina, Physiol. Rev. 66, 1091-1120, 1980）、これは驚くべきことである。同定された交感神経緊張依存点は、一般的に、体について知られていたのとは異なって応答する。
【００５０】
どの強度の刺激を加えるのが交感神経緊張中性点における刺激のしきい値を得るために必要であるかを測定し、これを、交感神経緊張依存点における刺激の同じしきい値を得るための加える刺激の必要な強度と比較することにより、交感神経緊張の生理的尺度、したがって、人の生理的ストレスまたは直接のストレスレベルの生理的尺度が得られる。この測定は、交感神経系の活動レベルの今すぐの決定として考えられる。
【００５１】
本発明のこの方法を用いてこの直接のまたは急性のストレスレベルを決定するとき、この方法は、ストレス状態を調整して行動を最適化するための手段を人に提供する。交感神経系における活動レベルにおける急性の増加は、人の行動の最適化に対して有益な効果をもつことがある。周知のように、アドレナリンレベルの増加は行動の最適化に有益である。本発明による方法は、交感神経系の活動レベルの増加が有益な効果を生じるように、交感神経緊張を調整するために使用される。
【００５２】
こうして、交感神経系の直接の活動レベルの決定方法が提供される。この活動レベルは、最適に行動するための人の能力にとって重要である。この方法は、診断的な性質であることがあり、診断の価値をもつ。しかし、この方法は、また、人が最適に行動する直接の能力の予測法としても記載できる。始めに説明したように、交感神経系は、いわゆる「ストレス期」において、現実の危険な状況／挑戦が可能な最善のやり方で取り扱われるように器官の資源を動員する。これが意味するのは、考えを集中する能力が増すので精神的に同時により速くかつより明瞭に考えることである。この目的を支えるため、関連しない感覚の影響は効率的に防がれる。身体的に、体は、応答時間を短くすることにより応答し、筋肉の力を増加し、感覚を鋭くし、考えと運動の技能の間の協調を最適化する。
【００５３】
ランダムに選ばれた健康な複数の人のテストは、半分の人が重く、すなわち、後で定義されるストレスグループのレベル３で、ストレスを受けるが、ストレスと受けていないと感じることを示した。その結果、この方法と測定装置は、その人がそれなしではアクセスできなかった重要な情報を提供できるので、大きな実際的な価値をもつ。
【００５４】
また、本発明による方法は、長期の基礎で交感神経系の活動レベルを記録するために使用でき、ストレスに関連した状況になっていくのに間に合って防止するのに効果的である。そのような記録は、たとえば、各人のデータを監視する中央記録装置／データセンターへ送られ、その人に警告をちょうどよいときに送る。これにより、その状況は防止できる。
【００５５】
本発明によれば、上述の点における刺激の感度は、人によって大きく変わり、ある人についての交感神経緊張の１つのみの決定は、その人の通常の状態が分かっていなければ、その人の実際のストレス状態には必ずしも関連できない。したがって、交感神経緊張を追加情報で補うことが必要なことがある。交感神経系の低い活動レベル（すなわち、２つの決定の間の小さな差は、その人の資源の最適な予測の使用を示す。しかし、高い活動レベル（すなわち２つの決定の間の大きな差）は、あいまいであり、追加の情報を必要とする。こうして、高い活動レベルが本発明の方法を用いて決定される状況が生じることがあり、ストレス用紙（質問表）を用いた追加の解析が、その人が臨床上のストレスのしるしを示さなかったことを示す。この場合、測定は急性ストレスを示し、慢性ストレスを示さない。
【００５６】
本発明によれば、刺激は、皮膚の機械的レセプタ、熱的レセプタおよび／または侵害受容(nociceptive)レセプタを活性化する任意の種類の刺激を表す。刺激は、機械的刺激、熱的刺激、放射刺激および／または化学的刺激として与えることができる。機械的刺激は、たとえば、圧縮力を用いて与えることができる。熱的刺激は、たとえば、寒さおよび／または熱を用いて与えることができる。放射刺激は、たとえば、赤外分光、可視分光および／または紫外分光またはそれらの組み合わせの印加を用いて、たとえば、レーザ、発光ダイオード、赤外光源、紫外光源および／または紫外光源を用いて与えることができる。化学的刺激は、有機化合物および／または無機化合物を用いて与えることができる。
【００５７】
交感神経緊張の記録された生理的尺度は、急性ストレスのレベルと慢性ストレスのレベルの全体の尺度である。また、本発明による方法は、介入／ストレス緩和の始まりの効果の記録を可能にする。
【００５８】
人に刺激がある点に加えられているときに、その刺激がもはや快適なものと感じられないとき、より詳細には、刺激を不快であるとして、または、苦痛であるとして感じるときに、刺激のしきい値が得られる。
【００５９】
交感神経緊張中性点は、また、校正点ともいう。これらの点は、鎖骨の上側で前方に位置でき、脊柱、とくにＴＨ１０−１１と名付けられる脊柱の後側に位置できる。
【００６０】
交感神経緊張依存点は、また、記録点ともいう。これらの点は、皮膚の上の任意の点に位置でき、心臓への交感神経系の神経分布に神経支配的に、たとえば、前方に、胸骨の中央でのＣ．Ｖ．１７，乳頭の下の２つのあばら骨の間のＳＴ１８および乳頭と前腋窩ひだの間のPer1の３つの点が結合され、後方に、肩甲骨の間の領域でＴＨ３〜６に対応する。１つの実施形態によれば、好ましくは、これらの点の最も痛い点、たとえば、活動レベルの最も正確な代表となる点が選ばれる。
【００６１】
本発明は、短期間、典型的には数時間／数日にわたる人の急性ストレス、および、長期間、典型的には数ヶ月／数年にわたる慢性ストレスとの全体の尺度を考慮する。
【００６２】
急性ストレスと慢性ストレスの区別は、当業者に知られた技法を用いて実行できる。これらの技法は、それらに限定されないが、肉体的および精神的状態についての会話または状態がストレス書面（質問票）を用いて解明される他の方法を含む。さらに、ストレスの原因は、当業者に知られている技法により発見できる。これらの技法は、それに限定されないが、肉体的および精神的状態についての会話または状態がストレス／資源バランスシートを用いて解明される他の方法を含む。これは、本発明による決定への追加情報の補充として上に短く説明されていた。
【００６３】
慢性ストレスの第１の臨床上のしるしは、疲れと、運動装置の筋肉における筋肉の緊張の増大である。これは、たとえば、頭痛、背中、肩および首の痛みとして現れる。この状態は無害であり、肯定的ストレスとして感じられる多くの状態で経験される。
【００６４】
ストレスの負荷が長くなった場合、追加の症状が、意志の力の下にない神経系のいくつかの部分すなわち自律神経系で引き起こされる。これらの症状は、たとえば、気分のむら、胃痛、動悸、集中の欠如として現れる。
【００６５】
ストレスの負荷がさらに悪化するならば、上述の症状に追加される症状が、意志の力の下にない神経系のいくつかの部分で引き起こされる。人は、もはや、怒りやいらいらを制御できず、社会的行動が否定的に影響を受ける。
【００６６】
加えられた刺激のしきい値を得るのに必要な刺激の強度は、加えられた刺激の強度を測定できるシステムを用いて測定できる。加えられた刺激を測定するためのそのようなシステムの１例は、加えられた機械的刺激、熱的刺激、放射刺激および／または化学的刺激を測定できるシステムである。加えられた刺激を測定するシステムは、たとえば、加えられた圧縮力を測定する装置であり、たとえば圧力計である。加えられた圧縮力を測定できる装置の試験の後に、加えられた刺激のしきい値を得るのに必要な刺激の強度の測定は、指で行える。
【００６７】
さらに、本発明による方法は、種々のイニシアティブの効果の尺度として使用される。これらのイニシアティブは、職業的な健康処理とは関係ないが、たとえば、ストレスを引き起こすとして感じされる状況に対応するイニシアティブを含む。
【００６８】
本発明による方法は、測定されている人とは別の人により、または、測定されている人により、実行できる。最も正確な測定は、測定されている人が自分で決定をすることにより得られる。
【００６９】
圧縮力による研究は、交感神経系の活動度のレベル（レベル０〜３）が、以下のように、交感神経緊張中性点での圧力感度のしきい値を得るために必要な、加えられた圧縮力の形態での刺激に、交感神経緊張依存点での圧力感度の同じしきい値を得るために必要な、加えられた圧縮力の形態での刺激に相対的に、関連されることを示す。すなわち、
【００７０】
レベル０：
交感神経依存点における圧力感度のしきい値での印加圧縮力が、交感神経緊張中性点における圧力感度の同じしきい値での、加えられた圧縮力の８０％以上のとき。
【００７１】
レベル１：
交感神経依存点における圧力感度のしきい値での加えられた圧縮力が、交感神経緊張中性点における圧力感度の同じしきい値での、加えられた圧縮力の５５％〜８０％であるとき。
【００７２】
レベル２：
交感神経依存点における圧力感度のしきい値での印加圧縮力が、交感神経緊張中性点における圧力感度の同じしきい値での、加えられた圧縮力の３０％〜５５％であるとき。
【００７３】
レベル３：
交感神経依存点における圧力感度のしきい値での印加圧縮力が、交感神経緊張中性点における圧力感度の同じしきい値での、加えられた圧縮力の３０％以下のとき。
【００７４】
交感神経系の活動のレベルと、交感神経緊張依存点での圧力感度の同じしきい値での圧縮力に相対的な交感神経緊張中性点での圧力感度のしきい値での圧縮力との前述の比は、人により変わっている。いくつかの場合、変動は約９０％に達する。
【００７５】
同じ人において、測定は、さらに、異なる交感神経依存点の間で変わり、異なる交感神経中性点の間で変わる。交感神経系の活動度のレベルの最も正確な決定を得るために、他の因子に敏感でない交感神経緊張中性点を選ぶことが重要である。
【００７６】
交感神経緊張中性点での圧力感度のしきい値を得るために必要な、加えられた圧縮力の、交感神経緊張依存点での圧力感度の同じしきい値を得るために必要な、加えられた圧縮力に対する上述の比は、熱的刺激、放射刺激または化学的刺激が使用されるときに適用できることが分かった。１例として、圧縮力が加えられるとき、交感神経依存点は、たとえば熱や寒さに対してより敏感であることが分かった。熱は、たとえば、熱伝導または放射により転移される。この交感神経依存点は、また、交感神経中性点よりも、有機化合物および／または無機化合物からの影響により敏感である。
【００７７】
本発明は、交感神経の緊張を決定する方法に関する。この方法では、１以上の交感神経の緊張中性点において刺激のしきい値で、印加された刺激を決定し、１以上の交感神経の緊張依存点において同じ刺激のしきい値で、印加された刺激を決定する。
【００７８】
本発明の１つの実施形態によれば、前記印加された刺激は、印加された機械的刺激を用いて提供される。
【００７９】
本発明のある実施形態によれば、前記印加された機械的刺激は、印加された圧縮力を用いて提供される。
【００８０】
本発明のある実施形態によれば、熱的刺激が、印加された熱または寒さを用いて提供される。
【００８１】
本発明のある実施形態によれば、放射刺激が、印加された赤外光、可視光および／または紫外光またはそれらの分光の組み合わせを用いて、たとえば、レーザー、発光ダイオード、赤外、紫外および／または可視の光源を用いて、提供される。
【００８２】
本発明のある実施形態によれば、化学的刺激は、印加された有機または無機化合物を用いて提供される。
【００８３】
本発明のある実施形態によれば、刺激のしきい値での加えられた刺激の前記決定は、前記印加された刺激を測定するシステムを用いて行われる。
【００８４】
本発明のある実施形態によれば、１以上の交感神経の緊張中性点における、印加された刺激の前記決定は、鎖骨の上側で前方で、および／または、ＴＨ１０〜ＴＨ１１に対応する脊柱の上で後方で、行われる。
【００８５】
本発明のある実施形態によれば、１以上の交感神経の前記緊張依存点における刺激のしきい値での印加された刺激の前記決定は、交感神経系の心蔵への神経分布に対応する皮膚の上の１以上の位置で、行われる。この点は、たとえば、胸骨の中央でのC.V.17および／または乳頭の下の２つの肋骨の間のSt１８および／または乳頭と前腋窩ひだの間のPer1および／またはTH３〜６に対応する脊柱の中で選択される最も痛い点である。
【００８６】
本発明のある実施形態によれば、本発明は、人における交感神経緊張を測定する方法である。この方法は、
ａ）校正しきい値と刺激しきい値との記憶と、
ｂ）次の、前記刺激しきい値を前記校正しきい値と比較することによる交感神経緊張の示度の計算とからなる。
前記校正しきい値は、人の体の交感神経の緊張中性点での侵害受容しきい値の定量的尺度であり、前記刺激しきい値は、人の体の交感神経の緊張依存点での侵害受容しきい値の定量的尺度である。前記交感神経の前記示度は、人における交感神経緊張の尺度である。１つの実施形態では、前記校正しきい値と前記刺激しきい値は実質的に同時に測定される。しかし、校正しきい値は、また、以前の測定を基に得られた平均値であってもよく、また、たとえば多数の異なる人の平均値をあらわす予め決められた値であってもよい。
【００８７】
１つの実施形態では、侵害受容が、圧縮力、熱、冷却、放射、化学的刺激またはそれらの組み合わせにさらすことにより誘起される。
【００８８】
１つの実施形態によれば、交感神経緊張中性点よりも交感神経緊張依存点で得られる著しく低い侵害受容のしきい値は、人が交感緊張を増加したことを示す。
【００８９】
前記交感神経の示度値は、今直ちに得られた値として、または、長期間での値として記録できる。こうして、１つの実施形態では、前記交感神経の示度値は、少なくとも１つの前に決定された交感神経の示度値と比較され、この前の示度値は、時間において前の点での交感神経緊張を示す。
【００９０】
１つの実施形態では、本発明は、人における交感神経緊張を測定するシステムにかんする。このシステムは、
ａ）人体の交感神経の緊張中性点で決定された侵害受容校正しきい値を記憶し、人体の交感神経の緊張依存点で決定された侵害受容刺激しきい値を記憶する記憶手段と、
ｂ）前記侵害受容校正しきい値と前記侵害受容刺激しきい値を、測定値を得るようにデータ処理がプログラムされた電子回路とからなる。
【００９１】
１つの実施形態では、本発明によるシステムは、さらに、
（ａ）第１の使用者の操作から得られた前記侵害受容校正しきい値を記憶し、
（ｂ）第２の使用者の操作から得られた前記侵害受容刺激しきい値を記憶する。
【００９２】
不快を生じる刺激を加える前記印加手段は、たとえば、第１ユニットの中に含まれ、前記電子回路は第２ユニットの中に含まれる。第１と第２のユニットの間の必要なデータ転送を得るため、第１と第２のユニットは、たとえば、両者の間の無線通信を行うことが可能である。いわゆる「分散システム」において、たとえば、第１ユニットは、携帯ユニットであり、使用者は容易に持ち運ぶことができるが、他方のユニットは、たとえば医者または病院での中央コンピュータである。このコンピュータは、それぞれ携帯ユニットを持っている多数の異なる使用者からデータを収集する。好ましくは、コンピュータは、使用者の家庭におかれてもよい。分散システムでは、携帯電話は、好ましくは、携帯ユニットからコンピュータへデータを転送する通信手段として使用される。携帯ユニットは、たとえば、通常の携帯電話信号を介して無線でコンピュータにデータを送る。この信号は、携帯電話プロバイダによりインターネットを介してコンピュータに送られる。好ましくは、第２ユニットは、第１ユニットとブルートゥースを介して通信するようにプログラムされた携帯電話である。この場合、コンピュータの強さと携帯電話の記憶容量を使用するシステムが、分散システムの変わりに用いられる。
【００９３】
第２の実施形態では、不快を生じる刺激を加える前記印加手段および前記電子回路が１つの同じ装置に一体化されている。
【００９４】
１つの実施形態では、不快を生じる刺激を加える前記印加手段が、しだいに増加する刺激を加えるように調整され、前記記憶手段が、前記第１および第２の使用者の操作に対応する時間に刺激レベルを記憶するように調整される。
【００９５】
１つの実施形態では、本発明によるシステムにおいて、不快を生じる前記刺激は、圧縮力、熱、寒さ、放射、化学的刺激またはそれらの組み合わせにさらすことを含む。
【００９６】
１つの実施形態では、前記圧縮力は加圧手段(5)またはクランプを用いて加えられる。
【００９７】
１つの実施形態では、不快を生じる前記刺激は、第１と第２の使用者の操作の時間に停止される。
【００９８】
１つの実施形態では、前記加圧手段の接触面は弾力的である。
【００９９】
他の実施の形態では、前記加圧手段は、液体、ゲルおよび好ましくは気体で充填された気泡を含む。
【０１００】
別の実施形態によれば、加圧手段の上の接触面の面積は、４ｃｍ２より小さくてもよく、好ましくは１ｃｍ２と２ｃｍ２の間である。
【０１０１】
本発明は、さらに、交感神経緊張を決定するため刺激を加え測定するシステムに関する。このシステムは、測定ユニットと、加えられた刺激を表示する読み出しユニットを含む。
【０１０２】
発明のある実施形態によれば、このシステムは、どこに刺激が加えられたかを確立できるように測定点を記すマーカーを含む。
【０１０３】
発明のある実施形態によれば、このシステムは、少なくとも２つのゾーン、特に４つのゾーンに分割される尺度を備える。各々のゾーンは、上述のストレスレベル０，１，２，３に関連する。
【０１０４】
発明のある実施形態によれば、これらのゾーンは、異なる色、形状または他の識別性のマークを備え、互いに識別可能である。
【０１０５】
本発明によるシステムは、人体に外側圧縮力を及ぼす接触面を備えた加圧手段と、前記加圧手段により及ぼされた圧縮力を測定するセンサと、第１の測定された圧縮力と第２の測定された圧縮力を記憶し、第１の測定された圧縮力と第２の測定された圧縮力の比を表示として読み出し値を計算する電子回路とからなる。また、前記読み出し値を表示するための読み出しユニットを含む。もし測定された第１の圧縮力が交感神経緊張中性点で行われた測定であり、測定された第２の圧縮力が交感神経緊張依存点で行われた測定であれば、交感神経系の活動度のレベルは、読み出し値として表示される。
【０１０６】
前記加圧手段の接触面はたとえば弾力的である。その結果、より正確な測定が得られ、接触面は、体の上の平らでない面にも適用でき、一様な圧力が与えられる。こうして、圧力は、加えられた圧力と接触面の面積との比に対応する。
【０１０７】
前記加圧手段は、液体、ゲルおよび好ましくは気体で充填された気泡を含む。
【０１０８】
本発明によれば、加圧手段の上の接触面の面積は、４ｃｍ２より小さくてもよく、好ましくは１ｃｍ２と２ｃｍ２の間である。
【０１０９】
前記センサは、たとえばピエゾ抵抗力センサである。
【０１１０】
前記システムは、好ましくは、携帯され、１以上の電池で電力が供給される装置の中に一体化される。その結果、使用者は、旅行において装置を携帯できる。
【０１１１】
前記読出ユニットは、電子表示装置である。
【０１１２】
前記電子回路は、前記読み出し値を多数の読み出し値、たとえば４つの離散読み出し値（０，１，２，３）の１つとして決定できる。離散的な読み出し値が割り当てられた前記第１の測定値と前記第２の測定値の比は丸められ、または、離散値（０，１，２，３）に割り当てられて前記読み出しユニットに表示される。
【０１１３】
前記離散的読み出し値（０，１，２，３）は、たとえば、前記第１測定値と前記第２測定値との比に比例しない。前記電子回路は、測定値と交感神経系の活動のレベルとの間に比例性がないことに適応できる。レベル０は、第１の圧縮力測定値の８０％以上である第２の圧縮力測定値に対応する。レベル１は、第１の圧縮力測定値の５５〜８０％である第２の圧縮力測定値に対応する。レベル２は、第１の圧縮力測定値の３０〜５５％である第２の圧縮力測定値に対応する。レベル３は、第１の圧縮力測定値の３０％以下である第２の圧縮力測定値に対応する。
【０１１４】
前記電子回路は、多数の測定値の平均として計算して前記第１測定値を計算でき、多数の測定値の平均として計算して前記第２測定値を計算できる。ストレスレベルのより信頼できる測定は、こうして得られ、ここの測定での測定の不確実さにより生じる読み出し値のエラーの指示値が減少される。
【０１１５】
図５は、本発明によるシステムを示す。このシステムは、説明の明瞭さのため、１つの同じ装置に一体化されて示されている。この装置は、携帯でき、ハウジング７，電子的表示装置８，制御ボタン９および加圧手段５を含む。加圧手段５は、ハウジング７の１端から伸ばされている。加圧手段５の自由端は、接触面６を備える。装置の中で、加圧手段５は、力センサすなわち圧力センサ７に接し、センサ７は、図示しない電子回路に接続される。この電子回路は、センサ７により検知された力または圧力の測定値を格納できる。電子回路は、さらに、計算をし、読み出し値を電子表示装置８に送ることができる。図示しない電池が電子回路に電力を供給する。
【０１１６】
使用において、人は装置を手に持ち、不快のしきい値に達するまで体の上の交感神経緊張中性点で圧力を増加する。電子回路は、センサにより検知された最大の圧縮力を記録する。人は、制御ボタン９を押し、不快のしきい値に達するまで体の上の交感神経緊張依存点で圧力を増加する。電子回路は、センサにより検知された最大の圧縮力を記録する。制御ボタン９が押されたとき、電子回路は、第１の圧縮力測定値と第２の圧縮力測定値との比の表現として読み出し値を計算する。この例では、もし第２の圧縮力測定値が第１の圧縮力測定値の８０％以上、５５〜８０％、３０〜５５％、３０％以下であれば、読み出し値はそれぞれ０，１，２，３である。電子装置は、好ましくは、第１の圧縮力測定値の多数の測定の平均値と第２の圧縮力測定値の多数の測定の平均値とを決定できるようにする。読み出し値は、これらの平均値を基に決定される。図５では、交感神経緊張依存点での圧縮力が交感神経緊張中性点での圧縮力の３０％と５５％の間であることに対応して、交感神経系の活動のレベルが２である。
【０１１７】
発明のある実施形態によれば、このシステムは、熱的刺激、たとえば熱や寒さを加え、測定するために使用できる。
【０１１８】
本発明のある実施形態によれば、このシステムは、放射、たとえば、赤外光、可視光および／または紫外光またはそれらの分光の組み合わせを、たとえば、レーザー、発光ダイオード、赤外、紫外および／または白光の光源を用いて、加え測定できる。
【０１１９】
発明のある実施形態によれば、このシステムは、化学的刺激、たとえば有機化合物または無機化合物を加え、測定するために使用できる。
【０１２０】
本発明は、さらに、交感神経の緊張を決定するための刺激を印加し測定するためのシステムの用途に関連し、１以上の交感神経の緊張中性点において刺激のしきい値で、印加された刺激を決定し、１以上の交感神経の緊張依存点において同じ刺激のしきい値で、印加された刺激を決定することを含む。
【０１２１】
本発明のある実施形態によれば、システムが交感神経の緊張を決定するための刺激を印加し測定するために使用される。ここで、１以上の交感神経の緊張中性点における、印加された刺激のしきい値での加えられた刺激の測定は、鎖骨の上側で前方で、および／または、ＴＨ１０〜ＴＨ１１に対応する脊柱の上で後方で、行われる。
【０１２２】
１つの実施形態では、本発明は、交感神経の緊張を決定するための刺激を印加し測定するためのシステムの用途に関連する。ここで、１以上の交感神経の前記緊張依存点における刺激のしきい値での印加された刺激の測定は、交感神経系の心蔵への神経分布に神経支配的に対応する皮膚の上の１以上の位置で行われる。この１以上の位置は、たとえば、胸骨の中央でのC.V.17、乳頭の下の２つの肋骨の間のSt１８および乳頭と前腋窩ひだの間のPer1およびTH３〜６に対応する脊柱であり、それらの中で最も痛い点が選択される。
【０１２３】
本発明のある実施形態によれば、圧縮力などの機械的刺激を加え測定できるシステムが使用される。本発明のある実施形態によれば、熱や寒さなどの熱的刺激を加え測定できるシステムが使用される。
【０１２４】
本発明のある実施形態によれば、たとえば、レーザー、発光ダイオード、赤外、紫外および／または可視の光源を用いて、赤外光、可視光および／または紫外光またはそれらの分光の組み合わせなどの放射刺激を加え測定することができるシステムが使用される。
【０１２５】
本発明のある実施形態によれば、有機または無機化合物などの化学的刺激を加え測定することができるシステムが使用される。
【０１２６】
本発明は、以下の例においてさらに説明される。
例
圧縮力を圧力計を用いて測定するときの以下の例における全ての測定における単位は、英国ポンド(lbs)/cm２であり、以下ではlbsで表す。
【０１２７】
圧力感度のしきい値で指により加えられる圧縮力を測定するときの例における全ての測定における単位は、０、＋、＋＋、＋＋＋である。ここで、０は、交感神経緊張中性点において圧力感度のしきい値で加えられた圧縮力である。また、０、＋、＋＋、＋＋＋は、交感神経緊張依存点において圧力感度の同じしきい値で指で加えられた圧縮力であり、０は、交感神経緊張中性点において加えられた圧縮力であり、＋、＋＋、＋＋＋は、比較的低く加えられた圧縮力である。
【０１２８】
例１
例１ａ
人の交感神経緊張は、以下のように決定された。鎖骨の上側で前方で、交感神経緊張中性点で圧力感度のしきい値で圧力計を用いて、加えられた圧縮力は１３．８lbsと測定された。次に、この圧縮力は、交感神経緊張依存点C.V.17で圧力感度の同じしきい値で１３．０lbsと測定された。こうして、交感神経緊張依存点C.V.17で圧力感度の同じしきい値で、加えられた圧縮力は、交感神経緊張中性点で加えられた圧縮力の９４％であった。本発明により、これは、レベル０のストレスに対応する。その人は、次に、ストレスレベルについての質問票を記入する。この質問票は、その人が臨床ストレスの兆候を示さないことを確認する。
【０１２９】
例１ｂ
別の人の交感神経緊張は、以下のように決定された。鎖骨の上側で前方で、交感神経緊張中性点で圧力感度のしきい値で圧力計を用いて、加えられた圧縮力は１４．３lbsと測定された。次に、この圧縮力は、交感神経緊張依存点C.V.17で圧力感度の同じしきい値で１１．０lbsと測定された。こうして、交感神経緊張依存点で圧力感度の同じしきい値で、加えられた圧縮力は、交感神経緊張中性点で加えられた圧縮力の７７％であった。本発明により、これは、レベル１のストレスに対応する。
【０１３０】
例１ｃ
また別の人の交感神経緊張は、以下のように決定された。鎖骨の上側で前方で、交感神経緊張中性点で圧力感度のしきい値で圧力計を用いて、加えられた圧縮力は１０．０lbsと測定された。次に、この圧縮力は、交感神経緊張依存点Per１で圧力感度の同じしきい値で７．０lbsと測定された。こうして、交感神経緊張依存点で圧力感度の同じしきい値で、加えられた圧縮力は、交感神経緊張中性点で加えられた圧縮力の７０％であった。本発明により、これは、レベル１のストレスに対応する。
【０１３１】
例１ｄ
さらに別の人の交感神経緊張は、以下のように決定された。TH10-11に対応する脊柱で後方で交感神経緊張中性点で圧力感度のしきい値で圧力計を用いて、加えられた圧縮力は２４．０lbsと測定された。次に、この圧縮力は、TH3-6に対応する脊柱で後方で交感神経緊張依存点で圧力感度の同じしきい値で２２．５lbsと測定された。こうして、交感神経緊張依存点で圧力感度の同じしきい値で、加えられた圧縮力は、交感神経緊張中性点で加えられた圧縮力の９４％であった。本発明により、これは、レベル０のストレスに対応する。その人は、次に、ストレスレベルについての質問票を記入した。この質問票は、その人が臨床ストレスの兆候を示さないことを確認した。
【０１３２】
例２
例２ａ
人の交感神経緊張は、以下のように決定された。鎖骨の上側で前方で、交感神経緊張中性点で圧力感度のしきい値で圧力計を用いて、加えられた圧縮力は１７lbsと測定された。次に、この圧縮力は、交感神経緊張依存点C.V.17で圧力感度の同じしきい値で８．０lbsと測定された。交感神経緊張依存点で圧力感度の同じしきい値で、加えられた圧縮力は、交感神経緊張中性点で加えられた圧縮力の４７％であった。本発明により、これは、レベル２のストレスに対応する。
【０１３３】
例２ｂ
別の人の交感神経緊張は、以下のように決定された。鎖骨の上側で前方で、交感神経緊張中性点で圧力感度のしきい値で圧力計を用いて、加えられた圧縮力は１０．５lbsと測定された。次に、この圧縮力は、交感神経緊張依存点St.1８で圧力感度の同じしきい値で５．０lbsと測定された。交感神経緊張依存点で圧力感度の同じしきい値で、加えられた圧縮力は、交感神経緊張中性点で加えられた圧縮力の４８％であった。本発明により、これは、レベル２のストレスに対応する。
【０１３４】
例２ｃ
また別の人の交感神経緊張は、以下のように決定された。鎖骨の上側で前方で、交感神経緊張中性点で圧力感度のしきい値で圧力計を用いて、加えられた圧縮力は１４．０lbsと測定された。次に、この圧縮力は、圧力感度の同じしきい値で交感神経緊張依存点Per.1で５．０lbsと測定され、交感神経緊張依存点St.1８で５．５lbsと測定された。交感神経緊張依存点で圧力感度の同じしきい値で、加えられた圧縮力は、交感神経緊張中性点で加えられた圧縮力の３６％と３９％であった。本発明により、これは、レベル２のストレスに対応する。
【０１３５】
例３
人の交感神経緊張は、以下のように決定された。鎖骨の上側で前方で、交感神経緊張中性点で圧力感度のしきい値で圧力計を用いて、加えられた圧縮力は９．０lbsと測定された。次に、この圧縮力は、交感神経緊張依存点C.V.17で圧力感度の同じしきい値で２．０lbsと測定された。交感神経緊張依存点で圧力感度の同じしきい値で、加えられた圧縮力は、交感神経緊張中性点で加えられた圧縮力の２２％であった。本発明により、これは、レベル３のストレスに対応する。
【０１３６】
例４
例３に述べられた人に、交感神経緊張を決定するために、加えられた圧縮力を決定するための本発明による個人的校正システムが与えられた。このシステムは、測定装置と尺度を含む。この尺度は、この例では、ストレスの４つのレベルに対応する４つのゾーンに分けられ、１以上の測定点をマークするためのマーカーを備えていた。本発明による供給システムを用いることにより、その人は、都合のよいときに交感神経緊張を決定できた。その結果、その人は、交感神経緊張依存点で圧力感度のしきい値で、加えられた圧縮力がどのゾーンに対応していたかを観察することにより、交感神経緊張を決定できた。１つのゾーンは、交感神経中性点で圧力感度のしきい値で、加えられた圧縮力の３０％未満（レベル３）に対応し、第２のゾーンは、３０％以上、５５％未満（レベル２）に対応し、第３ゾーンは、５５％以上、８０％未満（レベル３）に対応し、第４ゾーンは、８０％以上（レベル４）に対応する。
【０１３７】
例５
人の交感神経緊張は、以下のように決定された。鎖骨の上側で前方で、交感神経緊張中性点で圧力感度のしきい値で圧力計を用いて、加えられた圧縮力は９．０lbsと測定された。次に、この圧縮力は、交感神経緊張依存点C.V.17で圧力感度の同じしきい値で２．０lbsと測定された。交感神経緊張依存点で圧力感度の同じしきい値で、加えられた圧縮力は、交感神経緊張中性点で加えられた圧縮力の２２％であった。本発明により、これは、レベル３のストレスに対応する。その人は、次に、ストレスレベルについての質問票を記入した。この質問票は、その人が蓄積された慢性的ストレスの兆候を示した。
【０１３８】
圧力感度のしきい値は、指を用いて、「＋＋＋」と決定された。
【０１３９】
４週間後に、すなわち、適当に間を開けて、その人について同じ測定が繰り返された。
【０１４０】
鎖骨の上側で前方で、交感神経緊張中性点で圧力感度のしきい値で圧力計を用いて、加えられた圧縮力は１０．０lbsと測定された。次に、この圧縮力は、交感神経緊張依存点C.V.17で圧力感度の同じしきい値で９．５lbsと測定された。交感神経緊張依存点で圧力感度の同じしきい値で、加えられた圧縮力は、交感神経緊張中性点で加えられた圧縮力の９５％であった。本発明により、これは、レベル０のストレスに対応する。交感感度のしきい値は、指を用いることにより、「０」と決定された。
【０１４１】
同時に、その人は、前に記録されたストレスの臨床上の兆候がなくなったといった。
【０１４２】
例６
２５０人のランダムに選ばれた人についての試験において、生理的ストレスと臨床上のストレスの間の相関が検査された。その２５０人は、最近の４週間以内に特定の状況を経験したか否かを確かめるため質問票に記入することを求められた。質問票には、ストレスの異なる臨床上の兆候を表す３５の質問がある。
【０１４３】
次に、その人々は、鎖骨の上側をまず同定することにより、圧力下で検査し、かつ、圧力の感度のしきい値を得るために必要な圧力の強度を登録することを指示された。これを出発点として、その人々は、C.V.17を位置付けることと、鎖骨の上側で使用される同じ処理に基づいて、４点尺度（０，＋、＋＋、＋＋＋）で圧力感度の同じしきい値を得るために必要な相対的印加圧縮力を決定することを指示された。
【０１４４】
次に、全ての質問票は回収され、解析された。
【０１４５】
Ｃ．Ｖ．１７に相対的に鎖骨の上側でしきい値を得るための、印加された圧縮力の間の相関は、有意（ｐ＜０．００１）であった。すなわち、最近の４週間に個々の人により経験されたストレスの徴候が多いほど、より小さい圧縮力が、鎖骨の上側に相対的に、点Ｃ．Ｖ．１７で胸郭に加えられるべきであった。
【０１４６】
例７（本発明の方法／システムの予後の使用）
完全に健康な人、たとえば音楽家または指揮者が、朝ごとに、上記の方法とシステムを使用して、低い測定値を確かめる。この測定値は、その日に後で音楽を演奏または指揮するとき、その人の資源の最適な使用を前兆として与える。
【０１４７】
もし、ある朝に測定値が高かった場合、この測定は、運動、くつろぎなど、ストレスを減らす活動の開始を準備する。その活動が終わったとき、その人は、十分な効果があったか否か、すなわち、低い測定値が得られたか否かを測定できる。もし所望の結果が得られなかったなら、その過程を繰り返すことができる。
【０１４８】
例８
また、例７におけるように、この例におけるシステムは、以下の活動をするために使用されている。このシステムを用いて、刺激が痛みを生じることなく圧力が感じられるような強い連続的な圧力が交感神経緊張依存点で維持される。２０〜４０秒後に、その人は、下にある痛さが減少したことを記録する。
【０１４９】
このシステムを用いて、これは、痛みのしきい値の５０％の増加として記録できる。こうして、この痛みのしきい値は、交感神経緊張中性点でしきい値の４０から６０％に増加することがある。
【０１５０】
生理的には、これは、「ストレス期」が終わり、回復期が起動されたことを意味する。
【０１５１】
この活動は、負のストレスの防止に寄与する。
【０１５２】
例９（ストレスのいますぐの開放のための刺激）
しかし、例７では、この例では、使用者は、高い値を記録し、すぐに例８に記載された行動を行う。正確に行われた行動で、使用者は、約２０〜４０秒後に、測定値の約５０％の改善を記録できるであろう。
【０１５３】
例１０（学習のための測定）
この方法とシステムは、ストレスレベル、すなわち、交感神経系における活動のいますぐの測定を提供するので、人は、「朝の値」を知り、１日の間の測定を繰り返して、ストレスレベルに影響を与える状況（会話、命令、電話メッセージ、仕事）を同定できる。
【０１５４】
ストレス期が数秒内に活性化され２０〜４０秒内でふたたび通過したとき、この方法とシステムが、異なる毎日の状況がストレスレベルに負の方向と正の方向の両方に、どのように影響するかについて学ぶための完全に新しい可能性を提供する。
【０１５５】
こうして、長期的に見れば、この方法は、たとえば１つの休日が所望のくつろぎ効果を持つかどうかを人に教えることができる。
【図面の簡単な説明】
【０１５６】
【図１】鎖骨の上側の前の交感神経緊張中性点の位置と、乳頭と前腋窩ひだの間の交感神経緊張依存点の位置、Per 1、灰色の陰の領域、を示す図。灰色の陰の領域の中の黒点は、本発明によるPer 1の中の最もしばしば使用される点を示す。
【図２】脊柱の後ろ側の、より詳細にはＴＨ１０-１１に対応する交感神経緊張中性点の位置と、肩甲骨の間のエリアの中のＴＨ３−６に対応する交感神経緊張依存点の位置を示す図。
【図３】鎖骨の上側の前の交感神経緊張中性点の位置と、胸骨の中央の交感神経緊張依存点の位置、Ｃ．Ｖ．１７、灰色の陰の領域、を示す図。灰色の陰の領域の中の黒点は、本発明によるＣ．Ｖ．１７の中の最もしばしば使用される点を示す。
【図４】鎖骨の上側の前の交感神経緊張中性点の位置と、乳頭の下の２本の肋骨の間の交感神経緊張依存点の位置、Ｓｔ１８、灰色の陰の領域、を示す図。灰色の陰の領域の中の黒点は、本発明によるＳｔ１８の中の最もしばしば使用される点を示す。
【図５】本発明によるシステムを示す。システムを構成する部分は、１つの同じ装置に一体化されて示される。この装置は、人体に外側圧縮力を及ぼすための接触面を備える加圧手段と、この加圧手段により人体に及ぼされる圧縮力を測定するためのセンサとを含む。この装置は、読み出し値を表示するための読み出しユニットを含む。
【符号の説明】
【０１５７】
４  測定システム、    ５  加圧手段、    ６  接触面、    ７  センサ、    ８  読み出しユニット。
【図１】
2007526048.tif 000003
【図２】
2007526048.tif 000004
【図３】
2007526048.tif 000005
【図４】
2007526048.tif 000006
【図５】
2007526048.tif 000007
【手続補正書】
【提出日】平成18年1月3日(2006.1.3)
【手続補正１】
【補正対象書類名】特許請求の範囲
【補正対象項目名】全文
【補正方法】変更
【補正の内容】
【特許請求の範囲】
【請求項１】
１以上の交感神経の緊張中性点において刺激のしきい値で、印加された刺激を決定し、
１以上の交感神経の緊張依存点において同じ刺激のしきい値で、印加された刺激を決定する
ことからなる交感神経の緊張を決定する方法。
【請求項２】
前記印加された刺激は、印加された機械的刺激を用いて提供されることを特徴とする、請求項１に記載された方法。
【請求項３】
前記印加された機械的刺激は、印加された圧縮力を用いて提供されることを特徴とする、請求項２に記載された方法。
【請求項４】
前記印加された刺激は、印加された熱的刺激を用いて提供されることを特徴とする、請求項１に記載された方法。
【請求項５】
前記印加された刺激は、印加された熱または寒さを用いて提供されることを特徴とする、請求項４に記載された方法。
【請求項６】
前記印加された刺激は、印加された放射を用いて提供されることを特徴とする、請求項１に記載された方法。
【請求項７】
前記印加された刺激は、印加された赤外光、可視光および／または紫外光を用いて提供されることを特徴とする、請求項６に記載された方法。
【請求項８】
前記印加された刺激は、印加された化学的刺激であることを特徴とする、請求項１に記載された方法。
【請求項９】
前記印加された化学的刺激は、印加された有機または無機化合物を用いて提供されることを特徴とする、請求項８に記載された方法。
【請求項１０】
前記決定は、前記印加された刺激を測定するシステムを用いて行われることを特徴とする、請求項１〜９のいずれかに記載された方法。
【請求項１１】
１以上の交感神経の緊張中性点における、印加された刺激の前記決定は、鎖骨の上側で前方で、および／または、ＴＨ１０〜ＴＨ１１に対応する脊柱の上で後方で、行われることを特徴とする、請求項１〜１０のいずれかに記載された方法。
【請求項１２】
１以上の交感神経の前記緊張依存点における刺激のしきい値での印加された刺激の前記決定は、交感神経系の心蔵への神経分布に神経支配的に対応する皮膚の上の１以上の位置で、行われることを特徴とする、請求項１〜１１のいずれかに記載された方法。
【請求項１３】
１以上の交感神経の前記緊張依存点における刺激のしきい値での印加された刺激の前記決定は、１以上の点、すなわち、胸骨の中央でのC.V.17および／または乳頭の下の２つの肋骨の間のSt１８および／または乳頭と前腋窩ひだの間のPer1および／またはTH３〜６に対応する脊柱の中で選択される最も痛い点、で行われることを特徴とする、請求項１〜１２のいずれかに記載された方法。
【請求項１４】
人における交感神経緊張を測定する方法であって、
ａ）校正しきい値と刺激しきい値との記憶と、
ｂ）次の、前記刺激しきい値を前記校正しきい値と比較することによる交感神経緊張の示度の計算とからなり、
前記校正しきい値は、人の体の交感神経の緊張中性点での侵害受容しきい値の定量的尺度であり、前記刺激しきい値は、人の体の交感神経の緊張依存点での侵害受容しきい値の定量的尺度であり、
前記交感神経の前記示度は、人における交感神経緊張の尺度である
方法。
【請求項１５】
前記校正しきい値と前記刺激しきい値は実質的に同時に測定されることを特徴とする、請求項１４に記載された方法。
【請求項１６】
侵害受容が、圧縮力、熱、冷却、放射、化学的刺激またはそれらの組み合わせにさらすことにより誘起されることを特徴とする、請求項１４または１５に記載された方法。
【請求項１７】
交感神経の緊張中性点よりも緊張依存点で得られる著しく低い侵害受容のしきい値は、人が交感緊張を増加したことを示すことを特徴とする、請求項１４〜１６のいずれかに記載された方法。
【請求項１８】
前記交感神経の示度値は、少なくとも１つの前に決定された交感神経の示度値と比較され、この前の示度値は、時間において前の点および／または前記値の結果を示すことを特徴とする、請求項１４〜１７のいずれかに記載された方法。
【請求項１９】
人における交感神経緊張を測定するシステムであって、
ａ）人体の交感神経の緊張中性点で決定された侵害受容校正しきい値を記憶し、人体の交感神経の緊張依存点で決定された侵害受容刺激しきい値を記憶する記憶手段と、
ｂ）前記侵害受容校正しきい値と前記侵害受容刺激しきい値を、測定値を得るようにデータ処理がプログラムされた電子回路と
からなるシステム。
【請求項２０】
さらに、
（ａ）第１の使用者の操作から得られた前記侵害受容校正しきい値を記憶し、
（ｂ）第２の使用者の操作から得られた前記侵害受容刺激しきい値を記憶する
ことを特徴とする、請求項１９に記載されたシステム。
【請求項２１】
不快を生じる刺激を加える印加手段が第１ユニットの中に含まれ、前記電子回路は第２ユニットの中に含まれることを特徴とする、請求項２０に記載されたシステム。
【請求項２２】
前記第１ユニットと前記第２ユニットは、両者の間の無線通信を行うことが可能であることを特徴とする、請求項２１に記載されたシステム。
【請求項２３】
前記加圧手段（５）、前記センサ（７）および前記電子回路が、１つの同じ装置に一体化されていることを特徴とする、請求項２０に記載されたシステム。
【請求項２４】
不快を生じる刺激を加える前記印加手段が、しだいに増加する刺激を加えるように調整され、前記記憶手段が、前記第１および第２の使用者の操作に対応する時間に刺激レベルを記憶するように調整されることを特徴とする、請求項２０〜２３のいずれかに記載されたシステム。
【請求項２５】
不快を生じる前記刺激は、圧縮力、熱、寒さ、放射、化学的刺激またはそれらの組み合わせにさらすことを含むことを特徴とする、請求項２０〜２３のいずれかに記載されたシステム。
【請求項２６】
前記圧縮力は加圧手段(5)またはクランプを用いて加えられることを特徴とする、請求項２５に記載されたシステム。
【請求項２７】
不快を生じる前記刺激は、第１と第２の使用者の操作の時間に停止されることを特徴とする、請求項１９〜２６のいずれかに記載されたシステム。
【請求項２８】
前記加圧手段（５）の接触面（６）が弾力的であることを特徴とする、請求項２７に記載されたシステム。
【請求項２９】
前記加圧手段（５）は液体、ゲルおよび好ましくは気体で充填された気泡を含むことを特徴とする、請求項３５に記載されたシステム。
【請求項３０】
接触面(6)の前記面積は４ｃｍ２より小さく、好ましくは１ｃｍ２と２ｃｍ２の間であることを特徴とする、請求項２６〜２９のいずれかに記載されたシステム。
【請求項３１】
人における交感神経緊張測定の測定システム（４）であって、
人体に外側圧縮力を及ぼす接触面を備えた加圧手段（５）と、
前記加圧手段（５）により及ぼされた圧縮力を測定するセンサ（７）と、
第１の測定された圧縮力と第２の測定された圧縮力を記憶し、第１の測定された圧縮力と第２の測定された圧縮力の比を表示として読み出し値を計算する電子回路とからなり、
前記読み出し値を表示するための読み出しユニット（８）を含み、前記加圧手段（５）の接触面（６）が弾力的である
システム。
【請求項３２】
前記加圧手段（５）と前記センサ（７）は第１ユニット内に一体化され、前記電子回路は第２ユニット内に一体化されることを特徴とする、請求項３１に記載されたシステム。
【請求項３３】
前記第１ユニットと前記第２ユニットは、両者の間の無線通信を行うことが可能であることを特徴とする、請求項３２に記載されたシステム。
【請求項３４】
前記加圧手段（５）、前記センサ（７）および前記電子回路が、１つの同じ装置に一体化されていることを特徴とする、請求項３１に記載されたシステム。
【請求項３５】
前記加圧手段（５）は液体、ゲルおよび好ましくは気体で充填された気泡を含むことを特徴とする、請求項３１〜３４のいずれかに記載されたシステム。
【請求項３６】
接触面(6)の前記面積は４ｃｍ２より小さく、好ましくは１ｃｍ２と２ｃｍ２の間であることを特徴とする、請求項３１〜３５のいずれかに記載されたシステム。
【請求項３７】
前記センサがピエゾ抵抗力センサであることを特徴とする、請求項３１〜３６のいずれかに記載されたシステム。
【請求項３８】
携帯でき、かつ、１以上の電池で電気が供給されることを特徴とする、請求項３１〜３７のいずれかに記載されたシステム。
【請求項３９】
前記読出ユニットは、電子表示装置であることを特徴とする、請求項３１〜３８のいずれかに記載されたシステム。
【請求項４０】
前記電子回路は、前記読み出し値を複数の離散的な読み出し値の１つとして決定し、離散的な読み出し値が割り当てられた前記第１の測定値と前記第２の測定値の比は前記読み出しユニット（８）に表示されることを特徴とする、請求項３１〜３９のいずれかに記載されたシステム。
【請求項４１】
前記離散的読み出し値（０，１，２，３）は、前記第１測定値と前記第２測定値との比に比例しないことを特徴とする、請求項４０に記載されたシステム。
【請求項４２】
前記電子回路は、前記第１測定値を、多数の測定値の平均として計算し、前記第２測定値を多数の測定値の平均値として計算することを特徴とする、請求項３１〜４１のいずれかに記載されたシステム。
【請求項４３】
交感神経の緊張を決定するための刺激を印加し測定するためのシステムの用途であって、
１以上の交感神経の緊張中性点において刺激のしきい値で、印加された刺激を決定し、
１以上の交感神経の緊張依存点において同じ刺激のしきい値で、印加された刺激を決定する
ことを含む用途。
【請求項４４】
請求項４３に記載された用途であって、
１以上の交感神経の緊張中性点における、印加された刺激の前記決定は、鎖骨の上側で前方で、および／または、ＴＨ１０〜ＴＨ１１に対応する脊柱の上で後方で、行われることを特徴とする用途。
【請求項４５】
請求項４３または４４による用途であって、
１以上の交感神経の前記緊張依存点における刺激のしきい値での印加された刺激の前記決定は、交感神経系の心蔵への神経分布に神経支配的に対応する皮膚の上の１以上の位置で行われることを特徴とする用途。
【請求項４６】
請求項４３〜４５のいずれかに記載された用途であって、
１以上の交感神経の前記緊張依存点における刺激のしきい値での印加された刺激の前記決定は、１以上の点、すなわち、胸骨の中央でのC.V.17および／または乳頭の下の２つの肋骨の間のSt１８および／または乳頭と前腋窩ひだの間のPer1および／またはTH３〜６に対応する脊柱の中で選択される最も痛い点、で行われることを特徴とする用途。
【請求項４７】
交感神経緊張を決定するため交感神経緊張中性点における、かつ、交感神経緊張依存点における、侵害受容の測定の使用。
【請求項４８】
交感神経緊張を決定するための侵害受容の測定の用途。
【国際調査報告】
2007526048.tif 000008
2007526048.tif 000009
2007526048.tif 000010
2007526048.tif 000011
2007526048.tif 000012
2007526048.tif 000013